(57)【要約】【課題】ユーザが楽しみながら電子データの内容の確認ができる表示装置及びプログラムを提供する。【解決手段】本発明に係る表示装置は、受信部を介して電子データを受信し、計測部を用いて距離Ｄを計測し、受信した電子データと計測した距離Ｄとに基づいて表示部に画像を表示する制御部を備える。そして、制御部は、距離Ｄが第１閾値を超える場合、受信した電子データが表す内容の概要を表示部に表示し、距離Ｄが第１閾値を超えない場合、受信した電子データが表す内容を前記表示部に表示する。【選択図】図５
2011175583.tif 000002
【特許請求の範囲】
【請求項１】
表示部と、
電子データを受信するための受信部と、
前記表示部からユーザまでの距離を計測するための計測部と、
前記受信部を介して前記電子データを受信し、前記計測部を用いて前記距離を計測し、受信した前記電子データと計測した前記距離とに基づいて前記表示部に画像を表示する制御手段と、
を備え、
前記制御手段は、
前記距離が第１閾値を超える場合、受信した前記電子データが表す内容の概要を前記表示部に表示し、
前記距離が前記第１閾値を超えない場合、受信した前記電子データが表す内容を前記表示部に表示する、
ことを特徴とする表示装置。
【請求項２】
前記制御手段は、
前記距離が、前記第１閾値より大きい値である第２閾値を超える場合、前記電子データの受信を示す画像を前記表示部に表示し、
前記距離が、前記第１閾値を超え、かつ、前記第２閾値を超えない場合に、前記電子データが表す前記内容の概要を前記表示部に表示する、
ことを特徴とする請求項１に記載の表示装置。
【請求項３】
前記制御手段は、前記電子データの受信を示す画像として、
前記距離が、前記第２閾値より大きい値である第３閾値を超える場合、前記電子データを受信したことを示す受信マークを前記電子データの受信を示す画像として、前記表示部に表示し、
前記距離が、前記第２閾値を超え、かつ、前記第３閾値を超えない場合、前記電子データの受信時に特定される前記電子データの送信者に基づいて、前記送信者を示す画像を表す画像データを記憶部から取得し、取得した画像データが表わす前記画像を前記電子データの受信を示す画像として前記表示部に表示する、
ことを特徴とする請求項２に記載の表示装置。
【請求項４】
前記電子データは、所定の画像を表す画像データであり、
前記制御手段は、前記距離が第１閾値を超えない場合に、前記画像データが表す画像を前記距離に応じて表示態様を変化させて前記表示部に表示する、
ことを特徴とする請求項１乃至３のいずれか１項に記載の表示装置。
【請求項５】
前記電子データは、電子メールを表す電子メールデータであり、
前記制御手段は、
前記距離が前記第１閾値より小さい値である第４閾値を超えない場合、前記電子メールの返信画像を前記表示部に表示し、
前記距離が前記第１閾値を超えず、かつ、前記第４閾値を超える場合、前記電子メールデータが表す前記電子メールの本文を少なくとも含む画像を前記表示部に表示する、
ことを特徴とする請求項１乃至４のいずれか１項に記載の表示装置。
【請求項６】
表示部と、
画像データを受信するための受信部と、
前記表示部からユーザまでの距離を計測するための計測部と、
前記受信部を介して前記画像データを受信し、前記計測部を用いて前記距離を計測し、受信した前記画像データと計測した前記距離とに基づいて前記表示部に画像を表示する制御手段と、
を備え、
前記制御手段は、前記画像データが表す画像に、画風を変更する画像処理であって、前記距離によって処理内容の異なる画像処理を施し、画像処理後の画像を前記表示部に表示する、
ことを特徴とする表示装置。
【請求項７】
表示部と、
電子データを受信するための受信部と、
前記表示部からユーザまでの距離を計測するための計測部と、
を制御するコンピュータに、
前記受信部を介して前記電子データを受信し、前記計測部を用いて前記距離を計測し、受信した前記電子データと計測した前記距離とに基づいて前記表示部に画像を表示する制御ステップを行わせ、
前記制御ステップは、
前記距離が第１閾値を超える場合、受信した前記電子データが表す内容の概要を前記表示部に表示し、
前記距離が前記第１閾値を超えない場合、受信した前記電子データが表す内容を前記表示部に表示する、
ことを特徴とするプログラム。
【請求項８】
表示部と、
画像データを受信するための受信部と、
前記表示部からユーザまでの距離を計測するための計測部と、
を制御するコンピュータに、
前記受信部を介して前記画像データを受信し、前記計測部を用いて前記距離を計測し、受信した前記画像データと計測した前記距離とに基づいて前記表示部に画像を表示する制御ステップを行わせ、
前記制御ステップは、前記画像データが表す画像に、画風を変更する画像処理であって、前記距離によって処理内容の異なる画像処理を施し、画像処理後の画像を前記表示部に表示する、
ことを特徴とするプログラム。
【発明の詳細な説明】
【技術分野】
【０００１】
本発明は、表示装置及びプログラムに関する。
【背景技術】
【０００２】
この種の技術として例えば、特許文献１には、パーソナルコンピュータからサーバ装置を介して送信された画像データを基に、複数の画像を表示装置の対応する表示エリアに表示する技術が開示されている。
【先行技術文献】
【特許文献】
【０００３】
【特許文献１】特開２００３−２４２４０９号公報
【発明の概要】
【発明が解決しようとする課題】
【０００４】
しかし、特許文献１に記載された技術では、電子データの内容を確認するときに面白みに欠けるという問題点があった。
【０００５】
本発明は、上記のような問題点を鑑みてなされたものであり、ユーザが楽しみながら電子データの内容の確認ができる表示装置及びプログラムを提供することを目的とする。
【課題を解決するための手段】
【０００６】
上記の課題を解決するために、本発明の第１の観点に係る表示装置は、
表示部と、
電子データを受信するための受信部と、
前記表示部からユーザまでの距離を計測するための計測部と、
前記受信部を介して前記電子データを受信し、前記計測部を用いて前記距離を計測し、受信した前記電子データと計測した前記距離とに基づいて前記表示部に画像を表示する制御手段と、
を備え、
前記制御手段は、
前記距離が第１閾値を超える場合、受信した前記電子データが表す内容の概要を前記表示部に表示し、
前記距離が前記第１閾値を超えない場合、受信した前記電子データが表す内容を前記表示部に表示する。
【０００７】
上記の課題を解決するために、本発明の第２の観点に係る表示装置は、
表示部と、
画像データを受信するための受信部と、
前記表示部からユーザまでの距離を計測するための計測部と、
前記受信部を介して前記画像データを受信し、前記計測部を用いて前記距離を計測し、受信した前記画像データと計測した前記距離とに基づいて前記表示部に画像を表示する制御手段と、
を備え、
前記制御手段は、前記画像データが表す画像に、画風を変更する画像処理であって、前記距離によって処理内容の異なる画像処理を施し、画像処理後の画像を前記表示部に表示する。
【０００８】
上記の課題を解決するために、本発明の第３の観点に係るプログラムは、
表示部と、
電子データを受信するための受信部と、
前記表示部からユーザまでの距離を計測するための計測部と、
を制御するコンピュータに、
前記受信部を介して前記電子データを受信し、前記計測部を用いて前記距離を計測し、受信した前記電子データと計測した前記距離とに基づいて前記表示部に画像を表示する制御ステップを行わせ、
前記制御ステップは、
前記距離が第１閾値を超える場合、受信した前記電子データが表す内容の概要を前記表示部に表示し、
前記距離が前記第１閾値を超えない場合、受信した前記電子データが表す内容を前記表示部に表示する。
【０００９】
上記の課題を解決するために、本発明の第４の観点に係るプログラムは、
表示部と、
画像データを受信するための受信部と、
前記表示部からユーザまでの距離を計測するための計測部と、
を制御するコンピュータに、
前記受信部を介して前記画像データを受信し、前記計測部を用いて前記距離を計測し、受信した前記画像データと計測した前記距離とに基づいて前記表示部に画像を表示する制御ステップを行わせ、
前記制御ステップは、前記画像データが表す画像に、画風を変更する画像処理であって、前記距離によって処理内容の異なる画像処理を施し、画像処理後の画像を前記表示部に表示する。
【発明の効果】
【００１０】
本発明に係る表示装置及びプログラムによれば、ユーザは楽しみながら電子データの内容の確認ができる。
【図面の簡単な説明】
【００１１】
【図１】本発明の一実施形態例に係る表示装置の構成を説明するための図である。
【図２】本発明の一実施形態例に係る表示装置のハードウェア構成を説明するための図である。
【図３】本発明の一実施形態例に係る表示装置が行う画像表示処理を説明するためのフローチャートである。
【図４】本発明の一実施形態例に係る表示装置とユーザとの距離を説明するための図である。
【図５】図３のフローチャートで使用される対応表を示す図である。
【図６】本発明の一実施形態例に係る表示装置が表示部に表示する画像の一例である。
【図７】本発明の一実施形態例に係る表示装置が表示部に表示する画像の一例である。
【図８】本発明の一実施形態例に係る表示装置が表示部に表示する画像の一例である。
【図９】本発明の一実施形態例に係る表示装置が表示部に表示する画像の一例である。
【図１０】本発明の一実施形態例に係る表示装置が表示部に表示する画像の一例である。
【図１１】本発明の一実施形態例に係る表示装置が表示部に表示する画像の一例である。
【図１２】本発明の一実施形態例に係る表示装置が表示部に表示する画像の一例である。
【図１３】本発明の一実施形態例に係る表示装置が表示部に表示する画像の一例である。
【図１４】本発明の一実施形態例に係る表示装置が表示部に表示する画像の一例である。
【発明を実施するための形態】
【００１２】
本発明に係る実施形態について図面を参照して説明する。なお、本発明は下記の実施形態及び図面に限定されるものではない。下記の実施形態及び図面に変更（構成要素の追加や削除を含む）を加えることができるのはもちろんである。また、以下の説明では、本発明の理解を容易にするために、重要でない公知の技術的事項の説明を適宜省略する。
【００１３】
まず、本実施形態に係る表示装置１００の構成を、図１等を参照して説明する。なお、本実施形態では、表示装置１００は、デジタル写真を表示するデジタルフォトフレームであるが、例えばパーソルコンピュータ、液晶ディスプレイ付きの電話機等であっても良い。
【００１４】
本実施形態に係る表示装置１００は、インターネット等のネットワークに接続されたデジタルフォトフレームである。図１に示す表示装置１００は、ネットワーク２００を介して電子データを受信するとともに、所定の画像を表示する。ここで電子データは、例えば、電子メールのデータ（電子メールデータ）又は画像（デジタル写真の画像等）を表すデータ（画像データ）である。画像データは、適宜、電子メールに添付されて送信される。以下では、電子データとして、電子メールデータであるか、画像データであるかは、適宜予め設定される。例えば、電子メールに画像データが添付されて送信された場合には、電子データは画像データであるものとする。例えば、電子メールが直接送信された場合には、電子データは画像データであるものとする。例えば、電子メールが画像データが添付されずに送信された場合には、電子データは電子メールデータであるものとする。
【００１５】
本実施形態に係る表示装置１００は、図１に示すように、制御部１１０と、記憶部１２０と、表示部１３０と、受信部１４０と、操作部１５０と、計測部１６０と、を備える。なお、以下では説明を省略するが、表示装置１００は、通常のデジタルフォトフレームと同様に、ＳＤカード等のメモリーカードから画像データを取得し、取得した画像データが表す画像を表示部に表示する機能及びその構成を達成するための構成（例えば、カードスロット、メディアコントローラ等によって構成される読取書込装置）を備える。
【００１６】
なお、本実施形態においてネットワーク２００は、インターネットであるものとするが、例えば、インターネット以外のＬＡＮ（Local Area Network）やＷＡＮ（Wide Area Network）等であってもよい。
【００１７】
制御部１１０は、表示装置１００の各部を制御し、後述の画像表示処理を行う。制御部１１０は、この画像表示処理において、ネットワーク２００から電子データを受信するとともに、計測部によって表示部１３０からユーザ５（例えば、表示装置が表示する画像の鑑賞者）までの距離を計測し、受信した電子データ及び計測した距離に基づいて所定の画像を表示する処理をおこなう。この距離は、例えば、図４のように、表示部１３０の表示面（画像を表示する面）から、表示部１３０の前方（表示面が向かう方向）に位置するユーザ５までの距離Ｄをいう。
【００１８】
記憶部１２０は、制御部１１０によって使用されるデータ等を記憶している。また、記憶部１２０は、制御部１１０が生成したデータ等を適宜記憶してもよい。
【００１９】
表示部１３０は、制御部１１０の制御のもと、所定の画像を表示する。
【００２０】
受信部１４０は、ネットワーク２００に接続される。受信部１４０は、ネットワーク２００から電子データを受信するためのものである。制御部１１０は、受信部１４０を介して電子データを受信する。
【００２１】
操作部１５０は、ユーザ５等によって操作され、ユーザ５等の操作に応じた操作信号を制御部１１０に供給する。制御部１１０は、供給された操作信号に基づいて所定の処理を行う。
【００２２】
計測部１６０は、例えば、表示部１３０に取り付けられ、表示部１３０からユーザ５までの距離を計測するためのものである。制御部１１０は、計測部１６０を用いて表示部１３０からユーザ５までの距離を計測する。
【００２３】
次に、図２等を参照して、本実施形態に係る表示装置１００のハードウェア構成を説明する。
【００２４】
本実施形態に係る表示装置１００は、ＣＰＵ１１１と、ＲＡＭ１１２と、フラッシュメモリ１２１と、ディスプレイ１３１と、受信装置１４１と、操作ボタン群１５１と、人感センサ１６１と、カメラ１６２と、を備える。表示装置１００の各構成要素は適宜、バス１９９等によって接続されている。
【００２５】
図１の制御部１１０は、ＣＰＵ１１１とＲＡＭ１１２とを含んで構成される。ＲＡＭ１１２は、メインメモリとして機能する。ＲＡＭ１１２には、適宜、プログラムがロードされるとともに、ＣＰＵ１１１が使用するデータ、ＣＰＵ１１１が生成して他の構成要素（例えば、ディスプレイ１３１等）に供給するデータ（例えば表示用データ）等を一時記憶する。ＣＰＵ１１１は、ＲＡＭ１１２にロードされたプログラム（特に、画像表示プログラム）に従って、表示装置１００の各構成要素を制御し、制御部１１０が行う後述の画像表示処理を行う。
【００２６】
ＣＰＵ１１１の機能の少なくとも一部は、各種専用回路によって実現されてもよい。つまり、制御部１１０の少なくとも一部を各種専用回路によって構成してもよい。各種専用回路としては、例えば、ＤＳＰ（Digital Signal Processor）、エンコーダ、デコーダ、顔検出回路等がある。
【００２７】
なお、画像表示プログラムは、ＯＳ（Operation System）と協働してＣＰＵ１１１に撮像制御処理を行わせるものであってもよい。この場合、ＲＡＭ１１２にロードされる。また、画像表示プログラムは、持ち運び可能な記憶媒体（例えば、ＣＤ−ＲＯＭ（Compact Disk Read Only Memory）、ＤＶＤ−ＲＯＭ（Digital Versatile Disk Read Only Memory））に記録され、表示装置１００にインストールされてもよい。また、表示装置１００は、ネットワーク２００を介して表示装置１００に供給されてもよい。
【００２８】
画像表示プログラムが記録された記憶媒体は、コンピュータが読み取り可能なプログラム製品（プログラムを記憶したコンピュータが読み取り可能な記憶媒体）になる。画像表示プログラムは、制御部１１０等の機能の少なくとも一部が専用回路によって実現された表示装置１００（コンピュータ）を動作させるものであってもよい。つまり、画像表示プログラムは、表示装置１００（コンピュータ）に、全体として、後述の画像表示処理を行わせるものであってもよい。
【００２９】
図１の記憶部１２０は、フラッシュメモリ１２１を含んで構成される。フラッシュメモリ１２１は、表示制御プログラム、各種データを記憶する。表示制御プログラムは、ＲＡＭ１１２にロードされる。各種データは、ＲＡＭ１１２に読み出される。また、フラッシュメモリ１２１は、適宜、ＣＰＵ１１１が生成したデータを記憶する。このデータは、ＲＡＭ１１２を介してフラッシュメモリ１２１に供給される。記憶部１２０は、ハードディスク等の他の記憶装置を含んで構成されてもよい。
【００３０】
図１の表示部１３０は、ディスプレイ１３１を含んで構成される。ディスプレイ１３１は、画像を表示するディスプレイパネルと、このディスプレイパネルを駆動する駆動回路と、を備える。ＣＰＵ１１１が生成した表示用データは、駆動回路に供給される。駆動回路は、ＣＰＵ１１１から供給された表示用データに基づいて、ディスプレイパネルを制御し、ディスプレイパネルの表示面に表示用データによって表される画像を表示する。これによって、ディスプレイ１３１は、ＣＰＵ１１１の制御のもと、所定の画像を表示する。
【００３１】
図１の受信部１４０は、モデム、ルータ等を含む受信装置１４１によって構成される。ＣＰＵ１１１は、受信装置１４１を介して、ネットワーク２００から電子データを受信する。受信装置１４１を介して受信した電子データは、ＲＡＭ１１２に保持（一時的に記録）され、ＣＰＵ１１１に供給される。
【００３２】
図１の操作部１５０は、操作ボタン群１５１を含んで構成される。操作ボタン群１５１は、１以上の操作ボタンと、ユーザ５の操作ボタンへのボタン操作に対応した操作信号を出力する信号出力部（基板、接点等によって構成される。）と、を備える。操作ボタン群１５１は、ＣＰＵ１１１に制御され、ボタン操作に応じた操作信号をＣＰＵ１１１に供給する。ＣＰＵ１１１は、操作信号に応じた処理を行う。
【００３３】
図１の計測部１６０は、人感センサ１６１と、カメラ１６２と、を含んで構成される。これらは、ディスプレイ１３１の例えば筐体等に取り付けられる。この人感センサ１６１とカメラ１６２とによって、ディスプレイ１３１（表示部１３０）からユーザ５までの距離Ｄが計測される（図４参照）。
【００３４】
人感センサ１６１は、ディスプレイ１３１からディスプレイ１３１の前方（表示面が向かう方向）の所定の距離（Ｄ１）以内に人がいる場合に、反応するセンサであり、例えば、赤外線センサによって構成される。人感センサ１６１が反応すれば、人（ユーザ５）がディスプレイ１３１から所定の距離内にいることになり、人感センサ１６１によってディスプレイからユーザ５までの距離が計測されることになる。人感センサ１６１は、所定の距離内に人がいた場合に反応して、所定の信号をＣＰＵ１１１に供給する。
【００３５】
カメラ１６２は、ＣＣＤ（Charge Coupled Device）イメージセンサー又はＣＭＯＳ（Complementary Metal Oxide Semiconductor）イメージセンサー等の撮像素子、ＡＦＥ（Analog Front End）、ＤＳＰ等を備える。カメラ１６２は、ＣＰＵ１１１の制御のもと、ディスプレイ１３１の前方を撮像する（ここでは、特に、撮像方向の中心が表示面の法線方向となっているものとする。）。カメラ１６２は、ＣＰＵ１１１の制御のもと、撮像した画像を表す撮像信号を撮像素子によって生成し、生成した撮像信号に各種処理（ＡＦＥ、ＤＳＰ等によって行われる）を施して、デジタルの静止画像データを生成する。なお、各種処理には、例えば、相関二重サンプリング（Correlated Double Sampling）の処理と、サンプリング後の撮像信号に施す自動利得調整（Automatic Gain Control）の処理と、自動利得調整後のアナログの撮像信号をデジタル信号に変換するアナログ・デジタル変換の処理と、輪郭強調、オートホワイトバランス、オートアイリス等の画質を向上させる処理とがある。カメラ１６２が生成した静止画像データは、ＲＡＭ１１２を介してＣＰＵ１１１に供給される。ＣＰＵ１１１（制御部１１０）は、静止画像データを取得する。
【００３６】
なお、ＤＳＰが行う処理（前記の画質を向上させる処理）は、制御部１１０側で行っても良い。この場合には、この処理の前のデータがカメラ１６２から制御部１１０に供給される。制御部１１０は、供給された前記のデータに対して、この処理をＣＰＵ１１１によって行うか、制御部１１０が適宜備えるＤＳＰによって行う。この場合、制御部１１０は、静止画像データを生成することによって、静止画像データを取得する。
【００３７】
次に、表示装置１００が行う画像表示処理の一例を、図３等を参照して説明する。この処理は、例えば表示装置１００の電源がオンになって、表示装置１００にネットワーク２００が受信部１４０を介して接続されたことを契機として開始する。表示装置１００は、電源がＯＮになると、自動的にネットワーク２００と接続されるものとする。
【００３８】
制御部１１０は、画像表示処理を開始すると、受信部１４０を介して、電子データを受信したかを判別する（ステップＳ１０１）。電子データは、ネットワーク２００及び受信部１４０を介して制御部１１０に供給される。制御部１１０は、電子データが供給されることによって電子データを受信する。制御部１１０は、電子データを受信すると、ＲＡＭ１１２に電子データを一時的に記録（保持）する。なお、このとき、制御部１１０は、電子データの送信者を示すデータ（例えば、電子メールの送信元のメールアドレスのデータであり、以下では、送信者データという。）を前記電子データとともに、ＲＡＭ１１２に電子データを一時的に保持する。送信者を示すデータは、電子データのヘッダー等に付加されているものとする。電子データが電子メールデータであるか、電子データが電子メールに添付された画像データである場合には、電子メールデータのヘッダー部分に送信者を示すデータが付加される。
【００３９】
制御部１１０は、電子データを受信するまで待機する（ステップＳ１０１；ＮＯ）。制御部１１０は、電子データを受信すると（ステップＳ１０１；ＹＥＳ）、計測部１６０を用いて表示部１３０からユーザ５までの距離Ｄを計測する（ステップＳ１０２、図４参照）。
【００４０】
ここでは、制御部１１０は、まず、人感センサ１６１を制御して動作させ、人感センサ１６１が反応したかを判別する。人感センサ１６１が反応していない場合（この反応を示す所定の信号が制御部１１０に供給されていない場合）、ユーザ５が表示部１３０から所定の距離Ｄ１以内にいないということになり、制御部１３０は、距離ＤがＤ１よりも大きいということになるので、制御部１３０は、Ｄ＞Ｄ１である距離Ｄを示すデータ（距離データ）を生成し、ＲＡＭ１１２に保持する。
【００４１】
制御部１１０は、人感センサ１６１が反応した場合（この反応を示す所定の信号が制御部１１０に供給された場合）、ユーザ５が表示部１３０から所定の距離Ｄ１以内にいるということになるので、距離Ｄをより詳細に計測するため、制御部１１０はカメラ１６２を制御し、カメラ１６２に撮像及び前記の処理を行わせ、カメラ１６２に静止画像データを出力させる。カメラ１６２が出力した静止画像データは制御部１１０に供給される。制御部１１０は、ＲＡＭ１１２に静止画像データを保持し、保持した静止画像データを用いて、この静止画像データが表す静止画像（撮像画像）内の顔を検出する。
【００４２】
顔の検出は、テンプレート画像を用いたテンプレートマッチング等によって行われる。このとき、テンプレート画像は、適宜、拡大、縮小され、顔の検出に用いられる。このテンプレート画像のデータは、記憶部１２０に記録されており、制御部１１０は、このデータを記憶部１２０から読み出して使用するものとする。制御部１１０は、検出した顔の大きさ（面積）に基づいて、距離Ｄを特定する。この顔の大きさは、テンプレート画像の大きさによって特定できる。顔の大きさが大きくなるほど、ユーザ５の位置は表示部１３０に近いことになり、距離Ｄは短くなる。制御部１１０は、例えば、顔の大きさと距離Ｄとの関係を表す関係式を用いて距離Ｄを算出して距離Ｄを特定するか、顔の大きさ毎（顔の大きさについての所定の範囲毎）に距離Ｄが対応付けられた対応表を参照し顔の大きさに対応した距離Ｄを特定する。関係式又は対応表を表すデータは、記憶部１２０に予め記録されているものとし、制御部１１０はこのデータをＲＡＭ１１２に読み出して使用するものとする。制御部１１０は、距離Ｄを特定した場合、この特定した距離Ｄを示すデータ（距離データ）を生成し、ＲＡＭ１１２に保持する。なお、顔が検出されなかった場合には、ユーザ５が所定の距離Ｄ１内に位置していない可能性が高いので、制御部１１０は、Ｄ＞Ｄ１である距離Ｄを示すデータ（距離データ）を生成し、ＲＡＭ１１２に保持する。また、顔が複数検出された場合には、制御部１１０は、最も大きい顔の大きさに基づいて、距離Ｄを特定する。この顔のユーザ５が表示装置１００に最も近く位置しているため、このユーザ５が最も表示装置１００に注目する可能性があるからである。
【００４３】
ここでは、上記のようにして制御部１１０が距離データを生成、保持することによって、制御部１１０は、計測部１６０によって距離Ｄを計測することになる。なお、計測部１６０は、赤外線センサ等の距離センサによって構成され、制御部１１０は、このようなセンサによって距離Ｄを計測してもよい。
【００４４】
制御部１１０は、距離Ｄを計測すると、計測した距離Ｄに基づいて、この距離Ｄに応じた所定の画像を表示部１３０に表示する（ステップＳ１０３）。制御部１１０は、例えば、記憶部１２０に予め記録されている図５に示すような、距離Ｄと表示部１３０に表示する画像との対応関係を記録した対応表を参照し、ＲＡＭ１１２に保持する距離データが示す距離Ｄに基づいて、表示部１３０に表示する画像を特定し、特定した画像を表示部１３０に表示する。制御部１１０は、前記の対応表を記憶部１２０からＲＡＭ１１２に読み出して参照する。なお、図５の対応表では、Ｄ１＞Ｄ２＞Ｄ３＞Ｄ４＞Ｄ５とし、距離Ｄが所定の範囲毎に区分けされている。
【００４５】
距離ＤがＤ＞Ｄ１（例えば、Ｄ１＝５ｍ）であるとき、制御部１１０は、図５の対応表を参照し、この距離Ｄに基づいて、メールマーク（電子データを受信したことを示す受信マーク）を表示することを特定する。このとき、制御部１１０は、メールマークを表示部１３０の表示面の全面に表示する。制御部１１０は、記憶部１２０からメールマークの画像を表す画像データを取得し、この画像データに基づいて表示用データを生成し、表示部１３０に供給し、表示部１３０にメールマーク１１を表示させる（図６参照）。
【００４６】
距離ＤがＤ１≧Ｄ＞Ｄ２（例えば、Ｄ２＝４ｍ）であるとき、制御部１１０は、図５の対応表を参照し、この距離Ｄに基づいて、ＲＡＭ１１２に保持する電子データの送信者に対応した画像（送信者を示す画像）を表示することを特定する。このとき、制御部１１０は、電子データの送信者に対応した画像を表示部１３０の表示面に表示する。送信者に対応した画像とは、例えば、送信者の顔写真の画像等の送信者を一義的に特定できる画像であり、予め設定されている。記憶部１２０には、送信者データによって特定される送信者毎に、各送信者に対応した画像を表す画像データが記録されている。制御部１１０は、ＲＡＭ１１２に保持する送信者データに基づいて、この送信者データが特定する送信者に対応する画像データを記憶部１２０から取得し、この画像データに基づいて表示用データを生成し、表示部１３０に供給し、表示部１３０に送信者に対応した画像（送信者の顔画像１２）を表示させる（図７参照）。
【００４７】
距離ＤがＤ２≧Ｄ＞Ｄ３（例えば、Ｄ３＝３ｍ）であるとき、制御部１１０は、図５の対応表を参照し、この距離Ｄに基づいて、ＲＡＭ１１２に保持した電子データの画像Ａを表示することを特定する。このとき、制御部１１０は、電子データの画像Ａを表示部１３０の表示面に表示する。電子データの画像Ａとは、電子データによって表される画像であって、第１の態様の画像である。制御部１１０は、ＲＡＭ１１２に保持する電子データに基づいて、この画像Ａを表す表示用データを生成し、生成した表示用データを表示部１３０に供給し、表示部１３０に画像Ａを表示する。
【００４８】
電子データが画像データである場合、この画像Ａは画像データが表す画像の一部の画像領域の拡大画像である。この場合、拡大する画像領域は、画像データが表す画像の中央領域等、予め設定されているものとする。また、制御部１１０は、画像データが表す画像において、上記のテンプレートマッチング等によって、顔を検出し、検出した顔を含む領域を拡大する画像領域としてもよい。制御部１１０は、画像データに基づいて、画像データが表す画像の一部の領域を拡大した画像（拡大画像）を表す表示用データを生成し、生成した表示用データを表示部１３０に供給し、図８のように、表示部１３０に拡大画像１３を表示する。
【００４９】
電子データが電子メールデータである場合、この画像Ａは例えば、電子メールデータが表す画像（電子メールの内容を示す画像）の一部の画像（ここでは、電子メールの件名の画像）である。この場合、制御部１１０は、電子メールデータに基づいて、電子メールデータが表す電子メールの件名の画像を表す表示用データを生成し、生成した表示用データを表示部１３０に供給し、図９のように、表示部１３０に件名の画像１４を表示する。
【００５０】
距離ＤがＤ３≧Ｄ＞Ｄ４（例えば、Ｄ４＝２ｍ）であるとき、制御部１１０は、図５の対応表を参照し、この距離Ｄに基づいて、ＲＡＭ１１２に保持する電子データの画像Ｂを表示することを特定する。このとき、制御部１１０は、電子データの画像Ｂを表示部１３０の表示面に表示する。電子データの画像Ｂとは、電子データによって表される画像であって、第２の態様の画像である。制御部１１０は、ＲＡＭ１１２に保持する電子データに基づいて、この画像Ｂを表す表示用データを生成し、生成した表示用データを表示部１３０に供給し、表示部１３０に画像Ｂを表示する。
【００５１】
電子データが画像データである場合、この画像Ｂは画像データが表す画像に画像処理１を施した画像である。画像処理１（及び後述の画像処理２）は、画像に対して画風を変更する処理であり、例えば、画像の画風を絵画調に変更する所謂アート変換処理（フォトショップ（登録商標）等で使用される画像変換処理）、画像にモザイクをかけるモザイク処理等である。なお、画像処理１は、画像処理１を施した画像が後述の画像処理２を施した画像よりも、例えば、Ｄ３≧Ｄ＞Ｄ４の距離で、内容を認識しやすい画像になるような画像処理であればよい。画像処理１と画像処理２とでは、画像処理の種別が異なっても良い、つまり、画像処理後の各画像の画風が異なるような処理であっても良い。画像処理１と画像処理２とでは、画像処理の種別が同じで、画像処理の処理強度が異なっても良い。処理強度とは、例えば、画像処理で使用される、明るさ、ぼかし等の各種パラメータ等によって表現され、画像処理の前後の画像の変化の度合いを示すものである。例えば、各種パラメータの数値が大きくなれば、処理強度が大きく、画像処理の変化の度合いが大きくなる。なお、画像処理１と画像処理２とでは前記の処理強度を異ならせ、画像処理１の処理強度の方が画像処理２の処理強度よりも大きくなるようにしてもよい。制御部１１０は、画像データに基づいて、画像データが表す画像（全体画像）に対して画像処理１を施し、画像処理１を施した後の画像を表す表示用データを生成し、生成した表示用データを表示部１３０に供給し、図１０のように、表示部１３０に画像処理１を施した後の画像１５（ここでは、モザイク処理した画像）を表示する。
【００５２】
電子データが電子メールデータである場合、この画像Ｂは例えば、電子メールデータが表す画像（電子メールの内容を示す画像で、ここでは、電子メールの本文の画像）である。この場合、制御部１１０は、電子メールデータに基づいて、電子メールデータが表す電子メールの本文の画像を表す表示用データを生成し、生成した表示用データを表示部１３０に供給し、図１１のように、表示部１３０に本文の画像１６を表示する。なお、画像Ｂは、電子メールの本文を少なくとも含むものであればよく、電子メールの送信者、件名等がさらに含まれる画像であってもよい。
【００５３】
距離ＤがＤ４≧Ｄ＞Ｄ５（例えば、Ｄ５＝１ｍ）であるとき、制御部１１０は、図５の対応表を参照し、この距離Ｄに基づいて、ＲＡＭ１１２に保持する電子データの画像Ｃを表示することを特定する。このとき、制御部１１０は、電子データの画像Ｃを表示部１３０の表示面に表示する。電子データの画像Ｃとは、電子データによって表される画像であって、第３の態様の画像である。制御部１１０は、ＲＡＭ１１２に保持する電子データに基づいて、この画像Ｃを表す表示用データを生成し、生成した表示用データを表示部１３０に供給し、表示部１３０に画像Ｃを表示する。
【００５４】
電子データが画像データである場合、この画像Ｃは画像データが表す画像に画像処理２を施した画像である。画像処理２は、例えば、アート変換処理、画像内のエッジを強調するエッジ強調処理等である（詳しい説明は、上記画像処理１を参照）。制御部１１０は、画像データに基づいて、画像データが表す画像（全体画像）に対して画像処理２を施し、画像処理２を施した後の画像を表す表示用データを生成し、生成した表示用データを表示部１３０に供給し、図１２のように、表示部１３０に画像処理２を施した後の画像１７（ここでは、エッジを強調した画像）を表示する。
【００５５】
電子データが電子メールデータである場合、この画像Ｃは例えば、画像Ｂと同様である。この場合、制御部１１０は、電子メールデータに基づいて、画像Ｂの場合と同様の処理を行い、電子メールの本文の画像１６を表示する（図１１参照）。
【００５６】
距離ＤがＤ５≧Ｄであるとき、制御部１１０は、図５の対応表を参照し、この距離Ｄに基づいて、画像Ｐを表示することを特定する。このとき、制御部１１０は、画像Ｐを表示部１３０の表示面に表示する。
【００５７】
電子データが画像データである場合、この画像ＰはＲＡＭ１１２に保持する画像データが表す画像に画像処理１及び２を施さない画像（第４の態様の画像であり、画像処理前の元画像（ここでは、デジタル写真の画像）である。制御部１１０は、画像データに基づいて、この画像データが表す画像を表す表示用データを生成し、生成した表示用データを表示部１３０に供給し、図１３のように、表示部１３０に画像１８を表示する。
【００５８】
電子データが電子メールデータである場合、この画像Ｐは例えば、受信した電子メールに対する返信メールを表す画像である。この場合、制御部１１０は、記憶部１２０から返信メールの画像を表す画像データを取得し、この画像データに基づいて表示用データを生成し、表示部１３０に供給し、表示部１３０に返信メールの画像１９を表示させる（図１４参照）。そして、制御部１１０は、操作部１５０を介した、ユーザ５による、返信メールの作成の操作を受け付ける。
【００５９】
制御部１１０は、ステップＳ１０３の処理の後、ステップＳ１０２の処理を再び行う。このようにして、制御部１１０は、ユーザ５によって他のモードに切り替える操作等がない限り上記ステップＳ１０２及びステップＳ１０３の処理を繰り返し行う。
【００６０】
以上のように、制御部１１０は、距離Ｄが第１閾値（ここでは、Ｄ３）を超える場合、受信した電子データが表す内容の概要を表示部１３０に表示し、距離Ｄが第１閾値を超えない場合、受信した電子データが表す内容を表示部１３０に表示する。電子データが表す内容の概要は、電子データが表す内容の一部を抽出したもの（必要に応じて拡大される。）であり、ここでは、画像Ａ（拡大画像又はメールの件名）である。受信した電子データが表す内容は、電子データの少なくとも一部によって表される画像等であり、電子データが画像データの場合には、画像データが表す画像である、画像Ｂ、Ｃ及びＰであり、電子データが電子メールデータの場合には、電子メールデータが表す電子メールの本文等の主要部分を含む部分を表す画像である、画像Ｂ、及び、Ｃである。
【００６１】
なお、上記では、制御部１１０は、計測部１６０を用いて距離Ｄを測定し、距離Ｄに基づいて対応表を参照して、表示部１３０に表示する画像を特定しているが、制御部１１０が計測部１６０を用いて計測する距離Ｄは、上記のような直接的な距離でなくても良く、距離と所定の対応関係にあるものとしてもよい。例えば、距離Ｄは、人感センサ１６１の反応の有無、上記のテンプレートの顔の大きさ等で表現されてもよい。この場合には、例えば、図５の対応表の左欄は、人感センサ１６１の有無、顔の大きさの範囲等になる。
【００６２】
本実施形態では、電子データの内容が表示部１３０に、ユーザ５と表示装置１００との距離Ｄに応じて異なる画像で表示されるので、ユーザ５は楽しみながら電子データの内容の確認ができる。また、距離Ｄが第１閾値を超える場合、つまり、ユーザ５が表示装置１００から遠い位置にいる場合、ユーザ５が遠い位置でも認識しやすい電子データの内容の概要が表示部１３０に表示されるので、ユーザ５は受信した電子データの内容を把握し易い。また、距離Ｄが第１閾値を超えない場合、つまり、ユーザ５が表示装置１００から近い位置にいる場合、ユーザ５が近い位置で認識できる電子データの内容が表示部１３０に表示されるので、ユーザ５は受信した電子データの内容を把握し易い。
【００６３】
また、本実施形態においては、制御部１１０は、距離Ｄが、第１閾値より大きい値である第２閾値（ここでは、Ｄ２）を超える場合、電子データの受信を示す画像（ここでは、メールマーク、又は送信者を示す画像）を表示部１３０に表示し、距離Ｄが、第１閾値を超え、かつ、第２閾値を超えない場合に、電子データが表す内容の概要を表示部１３０に表示する。これによって、ユーザ５が表示装置１００からさらに遠い位置にいる場合、ユーザ５が遠い位置でも認識しやすい電子データの受信を示す画像が表示部１３０に表示されるので、ユーザ５は電子データの受信を把握し易い。
【００６４】
また、本実施形態においては、制御部１１０は、距離Ｄが、第２閾値より大きい値である第３閾値（Ｄ１）を超える場合、電子データを受信したことを示す受信マーク（ここでは、メールマーク）を電子データの受信を示す画像として、表示部１３０に表示し、距離Ｄが、第２閾値を超え、かつ、第３閾値を超えない場合、電子データの受信時に特定される電子データの送信者に基づいて、送信者を示す画像を表す画像データを記憶部１２０から取得し、取得した画像データが表わす画像（ここでは、差出人画像）を電子データの受信を示す画像として表示部１３０に表示する。これによって、表示装置１００は、距離Ｄが遠いときに、距離Ｄに応じて、表示部１３０に表示する画像を、受信マークから送信者を示す画像に変更するので、ユーザ５が表示装置１００から遠い位置にいる場合、ユーザ５は電子データの受信を把握し易く、また、ユーザ５は楽しみながら電子データの受信確認を出来る。さらに送信者を示す画像によって、ユーザ５は送信者を特定できるので、ユーザの利便性は高い。
【００６５】
また、本実施形態においては、制御部１１０は、距離Ｄが第１閾値を超えない場合に、画像データが表す画像を距離に応じて表示態様を変化させて表示部１３０に表示する。ここでは、このようにして表示される画像は、画像処理１及び２が施された画像Ｂ及びＣ、画像処理が施されていない画像Ｐである。特に、制御部１１０は、画像データが表す画像に、画風を変更する画像処理であって、距離Ｄによって処理内容（画像処理の処理強度又は画像処理の種別等）の異なる画像処理を施し、画像処理後の画像（画像Ｂ及びＣ）を表示部１３０に表示する。
【００６６】
以上によって、ユーザ５が画像内容を認識しやすい態様で、画像が表示部１３０に表示されるので、ユーザ５は受信した画像の内容（電子データの内容）を把握し易くなる。特に、上記のように、距離Ｄに応じてユーザ５が確認しやすいような画像処理を採用したり、ユーザ５が表示部１３０に近づくにつれて画像処理の処理強度を低くすることによって、ユーザ５は画像の内容を確認しやすい。また、上記のように、制御部１１０は、表示部１３０に画像を表示するときに全体画像に画像処理を施して表示するとともに、画像処理の処理内容を距離Ｄに応じて異ならせるので、表示部１３０に表示される画像が、ユーザ５の表示部１３０までの距離が変わると、表示態様が変化するので、ユーザ５は、楽しみながら画像の確認等ができる。また、制御部１１０は、距離Ｄが所定の閾値を超えない場合（Ｄ５以下の場合）、全体画像を、画像処理をせずに表示部１３０に表示するので、ユーザ５が最も近づいたときに、ユーザ５は画像データが表す元の画像を鑑賞することができる。
【００６７】
また、本実施形態においては、制御部１１０は、距離Ｄが第１閾値より小さい値である第４閾値（ここでは、Ｄ５）を超えない場合、電子メールの返信画像（ここでは、画像Ｐ）を表示部１３０に表示し、距離Ｄが第１閾値を超えず、かつ、第４閾値を超える場合、電子メールデータが表す電子メールの本文を少なくとも含む画像（ここでは、画像Ｂ及びＣ）を表示部１３０に表示する。これによって、ユーザ５が近づいたときに、電子メールの本文を確認でき、ユーザ５がさらに近づいたときに、返信メールの操作を行うことが出来るので、ユーザ５の利便性は高い。
【００６８】
以上のように、本実施形態では、電子メールを受信すると、距離Ｄによって、様々な画像が自動的に表示部１３０に表示されるので、ユーザ５は楽しみながら画像を鑑賞し、電子データの受信確認（内容確認も含む。）ができる。
【００６９】
なお、上記では、制御部１１０は、画像処理として２段階の画像処理を行っているが、距離Ｄをより細かく区分けして（図５の対応表の距離Ｄの範囲よりも細かく区分けして）、画像処理を３段階以上行っても良い。また、制御部１１０は、画像処理として２段階の画像処理を行っているが、距離Ｄの区分け数を減らし、画像処理を１段階としてもよい。また、表示する画像の種類についても任意に設定でき、上記画像は適宜省略できる。
【００７０】
また、上記距離Ｄについて、「以上」又は「以下」を、適宜、「より大きい」又は「未満」としてもよい。また、閾値について、閾値を超えるとは、適宜、閾値より大きい又は閾値以上のいずれかを意味する。閾値を超えないとは、適宜、閾値未満又は閾値以下のいずれかを意味する。例えば、「閾値を超える」が、閾値以上を意味する場合には、「閾値を超えない」は、閾値未満を意味する。
【符号の説明】
【００７１】
５・・・ユーザ、１００・・・表示装置、１１０・・・制御部、１２０・・・記憶部、１３０・・・表示部、１４０・・・受信部、１５０・・・操作部、１６０・・・計測部、２００・・・ネットワーク
【図１】
2011175583.tif 000003
【図２】
2011175583.tif 000004
【図３】
2011175583.tif 000005
【図４】
2011175583.tif 000006
【図５】
2011175583.tif 000007
【図６】
2011175583.tif 000008
【図９】
2011175583.tif 000009
【図１１】
2011175583.tif 000010
【図１４】
2011175583.tif 000011
【図７】
2011175583.tif 000012
【図８】
2011175583.tif 000013
【図１０】
2011175583.tif 000014
【図１２】
2011175583.tif 000015
【図１３】
2011175583.tif 000016